(57)【特許請求の範囲】
【請求項１】
鉛直方向において特定の高さを有し、かつ通路を塞ぐための遮断部材が支持体によって支持されてなる遮断部材の支持構造において、
前記支持体は、
前記遮断部材が設けられて、これを支持する支持部材と、
芯材として鉛直方向および水平方向に設けられる構造材を有し、かつ前記支持部材にＴ字に接続されるとともに前記支持部材に対して交差する方向に延在する構造壁と、
前記支持部材と前記構造壁とに亘って設けられて、前記支持部材と前記構造壁とのそれぞれに固定される接続部材と、を備えており、
平面視において前記支持部材と前記構造壁との間には二つの入隅部が形成されており、
前記支持部材は、一方の側面に前記遮断部材が設けられるとともに、前記一方の側面とは反対側の他方の側面における中央に前記構造壁が接続された支持板を有し、
前記接続部材は、前記二つの入隅部のうち少なくとも一方に配置されるものであって、前記支持板における前記入隅部側の側面である前記他方の側面に接する第一側面と、前記構造壁における前記入隅部側の側面に接する第二側面と、を有しており、
前記遮断部材は、前記支持板における前記一方の側面の面方向に沿って移動して前記通路を塞ぐことを特徴とする遮断部材の支持構造。
【請求項２】
請求項１に記載の遮断部材の支持構造において、
前記通路を塞いだ時の前記遮断部材と前記支持部材とが重なる長さ寸法が、前記遮断部材の長さ寸法に対して所定の比率になっていることを特徴とする遮断部材の支持構造。
【請求項３】
請求項１または２に記載の遮断部材の支持構造において、
前記接続部材は、前記支持部材と前記構造壁とに亘って設けられる収納部であり、
前記収納部は、前記第一側面を有して前記支持板に固定される側板と、前記第二側面を有して前記構造壁に固定される背板と、前記側板と前記背板とを接続する接続板と、を備えることを特徴とする遮断部材の支持構造。
【請求項４】
請求項３に記載の遮断部材の支持構造において、
前記支持部材、前記構造壁および前記接続板の上部を覆い、互いを連結固定する固定板が設けられることを特徴とする遮断部材の支持構造。
【請求項５】
請求項１から４のいずれか一項に記載の遮断部材の支持構造において、
前記支持部材が、前記支持板と、前記支持板と垂直に接続する背面板と、前記背面板と垂直に接続し、かつ前記支持板と対向する化粧板と、前記支持板と前記背面板と前記化粧板との上端面を接続する上面板と、を備えて前記遮断部材を収容可能な空間を形成しており、
前記背面板とは反対側に前記空間の開口があり、前記遮断部材は、当該開口から収容及び引き出し可能となっていることを特徴とする遮断部材の支持構造。
【請求項６】
請求項１から５のいずれか一項に記載の遮断部材の支持構造において、
前記遮断部材を、前記通路を塞いだ状態から前記通路を開放させた状態に移動させるため、もしくは、前記通路を開放した状態から前記通路を塞いだ状態に移動させるための移動手段をさらに備えることを特徴とする遮断部材の支持構造。
【発明の詳細な説明】
【技術分野】
【０００１】
本発明は、遮断部材の支持構造に関する。
【背景技術】
【０００２】
近年、対面式のキッチンが多くの住宅で採用されている。この対面式キッチンは、キッチンとダイニングルームとを、通路部分を残してカウンターで仕切り、このカウンターに面して流し台を配置した構造であり、調理者は、調理を行いながらカウンター越しにダイニングルームにいる家族とのコミュニケーションを図ることができるという利点を有している。そして、このような対面式キッチンにおいては、移動の利便性を考慮して、カウンター脇の通路部分に、通常、建具などの間仕切りが設けられていない構成となっている。
しかしながら、屋内でペットを飼っている家庭や、幼児のいる家庭においては、キッチンに間仕切りが設けられていないと、調理中にペットや幼児がキッチンに入るため安全上の問題があった。また、ペットが自由にキッチンに入ることができると衛生上好ましくない。
そこで、キッチンとダイニングルームを結ぶ通路を塞ぐ柵を備え、かつ当該柵が内部に収納可能とされたキッチンカウンターに係る技術が知られている（特許文献１参照）。
【先行技術文献】
【特許文献】
【０００３】
【特許文献１】特開２０００−２２９０１７号公報
【発明の概要】
【発明が解決しようとする課題】
【０００４】
しかしながら、特許文献１に記載の柵では、ペットや幼児がダイニング側から衝突した場合に力が掛かり破損することや、システムキッチン５に力を伝達してシステムキッチン５が破損する危険性がある。
【０００５】
本発明は、上記課題に鑑みてなされたもので、遮断部材への力を適切に伝達可能とすることで構造強度が高い遮断部材の支持構造を提供することを目的とする。
【課題を解決するための手段】
【０００６】
上記課題を解決するため、請求項１に記載の発明は、例えば、図１，２，４に示すように、鉛直方向において特定の高さを有し、かつ通路Ｃを塞ぐための遮断部材５が支持体３，４，６によって支持されてなる遮断部材５の支持構造１において、前記支持体３，４，６は、前記遮断部材５が設けられて、これを支持する支持部材４と、芯材として鉛直方向および水平方向に設けられる構造材３１，３２を有し、かつ前記支持部材４にＴ字に接続されるとともに前記支持部材４に対して交差する方向に延在する構造壁３と、前記支持部材４と前記構造壁３とに亘って設けられて、前記支持部材４と前記構造壁３とのそれぞれに固定される接続部材６と、を備えており、
平面視において前記支持部材４と前記構造壁３との間には二つの入隅部が形成されており、
前記支持部材４は、一方の側面に前記遮断部材５が設けられるとともに、前記一方の側面とは反対側の他方の側面における中央に前記構造壁３が接続された支持板４１を有し、
前記接続部材６は、前記二つの入隅部のうち少なくとも一方に配置されるものであって、前記支持板４１における前記入隅部側の側面である前記他方の側面に接する第一側面（側板６１の支持板４１側面）と、前記構造壁３における前記入隅部側の側面に接する第二側面（背板６２の構造壁３側面）と、を有しており、
前記遮断部材５は、前記支持板４１における前記一方の側面の面方向に沿って移動して前記通路Ｃを塞ぐことを特徴とする。
【０００７】
請求項１に記載の発明によれば、鉛直方向において特定の高さを有し、かつ通路Ｃを塞ぐための遮断部材５が支持体３，４，６によって支持されてなる遮断部材５の支持構造１において、支持体３，４，６は、支持板４１の一方の側面に遮断部材５が設けられて、これを支持する支持部材４と、芯材として鉛直方向および水平方向に設けられる構造材３１，３２を有し、かつ支持板４１における一方の側面とは反対側の他方の側面に接続されるとともに支持部材４に対して交差する方向に延在する構造壁３と、支持部材４と構造壁３とに亘って設けられて、支持部材４と構造壁３とのそれぞれに固定される接続部材６と、を備えるので、遮断部材５が支持部材４の反対側から受けた力を支持部材４を介して構造壁３へ伝達することができる。
また、支持部材４と構造壁３とに亘って設けられて、支持部材４と構造壁３とのそれぞれに固定される接続部材６を備えるので、遮断部材５から支持部材４へ伝達される力を支持部材４と構造壁３との接面からだけでなく、接続部材６との接面からも力を伝達することができる。
また、構造壁３が芯材として鉛直方向および水平方向に設けられる構造材３１，３２を有しているので、構造強度を十分に確保することができ、伝達された力に対して十分な抗力を発揮することができる。
このため、例えば、支持部材４の長さ寸法が構造壁３との接面の長さ寸法よりも大きい場合でも、接続部材６から構造壁３へと力を伝達することができるので、支持部材４が遮断部材５を十分に支持することができる。
これにより、遮断部材５への力が支持部材４と接続部材６とを介して構造壁３へと伝達されるので、遮断部材５の支持構造１が高い構造強度を発揮することができる。
【０００８】
請求項２に記載の発明は、例えば、図５に示すように、請求項１に記載の遮断部材の支持構造において、前記通路Ｃを塞いだ時の前記遮断部材５と前記支持部材４とが重なる長さ寸法が、前記遮断部材５の長さ寸法に対して所定の比率になっていることを特徴とする。
【０００９】
請求項２に記載の発明によれば、通路Ｃを塞いだ時の遮断部材５と支持部材４とが重なる長さ寸法が、遮断部材５の長さ寸法に対して所定の比率になっているので、遮断部材５に係るモーメントに対して支持部材４が支持できなくなるというおそれをなくすことができる。
【００１０】
請求項３に記載の発明は、例えば、図１，２，４に示すように、請求項１または２に記載の遮断部材の支持構造において、前記接続部材６は、前記支持部材４と前記構造壁３とに亘って設けられる収納部６であり、前記収納部６は、前記第一側面を有して前記支持部材４に固定される側板６１と、前記第二側面を有して前記構造壁３に固定される背板６２と、前記側板６１と前記背板６２とを接続する接続板６３と、を備えることを特徴とする。
【００１１】
請求項３に記載の発明によれば、接続部材６は、支持部材４と構造壁３とに亘って設けられる収納部６であり、収納部６は、第一側面を有して支持部材４に固定される側板６１と、第二側面を有して構造壁３に固定される背板６２と、側板６１と背板６２とを接続する接続板６３と、を備えるので、遮断部材５が支持部材４の反対側から受けた力を支持部材４を介して構造壁３へ伝達することができる。
また、収納部６の側板６１と背板６２とがそれぞれ支持部材４と構造壁３とに固定されるので、遮断部材５から支持部材４へ伝達される力を支持部材４と構造壁３との接面からだけでなく、収納部６と構造壁３との接面からも力を伝達することができる。
また、構造壁３が縦框３１と横框３２とを備えているので、構造強度を十分に確保することができ、伝達された力に対して十分な抗力を発揮することができる。
このため、例えば、支持部材４の長さ寸法が構造壁３との接面の長さ寸法よりも大きい場合でも、収納部６の側板６１から背板６２へ、背板６２から構造壁３へと伝達することができるので、支持部材４が遮断部材５を十分に支持することができる。
これにより、遮断部材５への力が支持部材４と収納部６とを介して構造壁３へと伝達されるので、遮断部材５の支持構造１が高い構造強度を発揮することができる。
【００１２】
請求項４に記載の発明は、例えば、図１，２に示すように、請求項３に記載の遮断部材の支持構造において、前記支持部材４、前記構造壁３および前記接続板６３の上部を覆い、互いを連結固定する固定板７が設けられることを特徴とする。
【００１３】
請求項４に記載の発明によれば、支持部材４、構造壁３および接続板６３の上部を覆い、互いを連結固定する固定板７が設けられるので、支持体３，４，６である支持部材４、構造壁３および接続板６３を一体的に固定することとなり、支持体３，４，６の構造強度を向上させることができる。
また、固定板７を作業台として利用することができるため、支持部材４や構造壁３が設けられる空間を作業空間として有効に空間を利用することができる。
【００１４】
請求項５に記載の発明は、例えば、図３，５に示すように、請求項１から４のいずれか一項に記載の遮断部材の支持構造において、前記支持部材４が、前記支持板４１と、前記支持板４１と垂直に接続する背面板４２と、前記背面板と垂直に接続し、かつ前記支持板４１と対向する化粧板４３と、前記支持板４１と前記背面板４２と前記化粧板４３との上端面を接続する上面板４４と、を備えて前記遮断部材５を収容可能な空間を形成しており、
前記背面板４２とは反対側に前記空間の開口があり、前記遮断部材５は、当該開口から収容及び引き出し可能となっていることを特徴とする。
【００１５】
請求項５に記載の発明によれば、支持部材４が、構造壁３と接続する支持板４１と、支持板４１と垂直に接続する背面板４２と、背面板４２と垂直に接続し、かつ支持板４１と対向する化粧板４３と、支持板４１と背面板４２と化粧板４３との上端面を接続する上面板４４と、を備えて遮断部材５を収容可能な空間を形成しており、背面板４２とは反対側に空間の開口があり、遮断部材５は、当該開口から収容及び引き出し可能となっているので、例えば、遮断部材５の支持構造１をメンテナンスするような場合、遮断部材５を収容する化粧板４３を取り外すだけで、容易に遮断部材５および支持部材４の交換や補修を行うことができる。
また、化粧板４３を外して、遮断部材５を収容可能な空間を清掃することも容易に行うことができる。
【００１６】
請求項６に記載の発明は、例えば、図３，５に示すように、請求項１から５のいずれか一項に記載の遮断部材５の支持構造１において、前記遮断部材５を、前記通路Ｃを塞いだ状態から前記通路Ｃを開放させた状態に移動させるため、もしくは、前記通路Ｃを開放した状態から前記通路Ｃを塞いだ状態に移動させるための移動手段５４をさらに備えることを特徴とする。
【００１７】
請求項６に記載の発明によれば、遮断部材５を、通路Ｃを塞いだ状態から通路Ｃを開放させた状態に移動させるため、もしくは、通路Ｃを開放した状態から通路Ｃを塞いだ状態に移動させるための移動手段５４をさらに備えるので、移動手段５４を床で滑走させることで容易に遮断部材５を移動させることができる。
このため、遮断部材５により通路Ｃを遮断もしくは開放する作業を容易に行うことができる。
【発明の効果】
【００１８】
本発明によれば、遮断部材への力を適切に伝達可能とすることで構造強度が高い遮断部材の支持構造を提供することができる。
【図面の簡単な説明】
【００１９】
【図１】本発明の実施形態に係る建物の１階部分を示した平面図である。
【図２】本発明の実施形態に係るキッチンカウンターの平面図である。
【図３】本発明の実施形態に係るキッチンカウンターの正面図である。
【図４】本発明の実施形態に係る遮断部材および支持部材の斜視図である。
【図５】本発明の実施形態に係るキッチンカウンターの部分斜視図である。
【図６】本発明の実施形態に係るキッチンカウンターの部分斜視図である。
【図７】本発明の実施形態に係る遮断部材および支持部材の部分断面図である。
【図８】本発明の実施形態に係る遮断部材および支持部材の平面図である。
【図９】本発明の実施形態に係るキッチンカウンターの部分平面図である。
【図１０】本発明の実施形態に係るキッチンカウンターの部分縦断面図である。
【図１１】本発明の実施形態に係る構造壁、収納部および固定板の部分縦断面図である。
【図１２】本発明の変形例に係る遮断部材、構造壁および収納部である。
【図１３】本発明の変形例に係るキッチンカウンターの部分断面図である。
【発明を実施するための形態】
【００２０】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２１】
〔建物１０の１階部分〕
本実施形態では、図１に示すように、建物１０は南向きであり、建物１０の１階部分には、玄関１１と、ホール１２と、リビング＆ダイニング１３と、キッチン１４と、風呂１５と、洗面所１６と、トイレ１７と、多目的区画１８と、第１階段１９とが備えられている。
【００２２】
玄関１１は、略矩形状の空間となっており、南側に建物１０とアプローチＡとを接続する開口である出入口を有し、この出入口に玄関扉１１１が設けられ、東側の壁面に靴などが収納されるシューズクローゼット１１２が設けられている。
【００２３】
ホール１２は、略矩形状の空間であり、玄関１１の北側に隣接しており、西側の壁に採光および通風を目的とした窓１２１が設けられており、この窓１２１の近傍でかつ、北側の壁に北側に隣接する空間への採光を目的とした明り窓１２２が設けられている。この明かり窓１２２は、高さが床から２ｍ程度の位置に設けられ、採光するとともに室内までが見通せないようになっている。
【００２４】
リビング＆ダイニング１３は、略矩形状の大空間であって、１階部分の南東角隅、玄関１１の東側に隣接して設けられており、南側外壁の東側には屋外との行き来が可能な大開口部が設けられ、この大開口部に掃出引違窓１３１が設けられている。
また、リビング＆ダイニング１３には、この大開口部の西側に隣接して設けられる大開口部よりも南側に突出する突出部１３２が設けられ、この突出部１３２にテレビなどのＡＶ機器を設置する設置台１３３が設けられている。
また、突出部１３２は、西側の第１壁Ｗ１と、南側の第２壁Ｗ２と、東側の第３壁Ｗ３により形成されている。
また、この設置台１３３の西側の第１壁Ｗ１と南側の第２壁Ｗ２とが形成する入隅には、本発明の本実施形態に係る収納家具１３４が設けられている。
なお、第１壁Ｗ１、第２壁Ｗ２および第３壁Ｗ３は、それぞれが耐力壁で構成されている。
【００２５】
キッチン１４は、リビング＆ダイニング１３の北側において、東側外壁に接して設けられる略矩形状の空間である。
キッチン１４には、南側に東西方向へキッチンカウンター１４１が延設され、このキッチンカウンター１４１の北側に連続してキッチンユニット２が設けられ、このキッチンユニット２の東側の外壁に屋外との行き来が可能な勝手口１４３が設けられている。キッチンユニット２には、三口コンロやシンクが設けられている。
また、勝手口１４３に対向する箇所に屋内とキッチン１４とを行き来する通路が設けられており、この通路はキッチンカウンター１４１の西端に設けられた遮断部材５により遮断可能となっている。具体的には、遮断部材５は、キッチンカウンター１４１内に収納可能に取り付けられており、通路を開放する場合はキッチンカウンター１４１内に収容され、通路を遮断する場合にキッチンカウンター１４１から引き出されるようになっている。
なお、キッチンカウンター１４１は、腰高に形成されており、キッチン１４からキッチンカウンター１４１を介してリビング＆ダイニング１３を見渡せるようになっている。
また、キッチン１４の北側には、冷蔵庫置場１４５とカップボード１４６とが設けられている。
【００２６】
風呂１５は、キッチン１４の北側、１階部分の北東角隅に設けられており、浴槽１５１や換気窓１５２などが設けられている。
洗面所１６は、風呂１５の西側に隣接して設けられており、洗面台１６１、収納庫１６２および洗濯機置場１６３などが設けられている。
トイレ１７は、洗面所１６の西側に隣接して設けられている。
【００２７】
多目的区画１８は、建物１０の北西角隅に略矩形状に設けられており、１階部分においてリビング＆ダイニング１３に次ぐ広さの空間である。
この多目的区画１８は、子供が勉強する空間として利用したり、大人が書斎として利用したりする共有のワーキングスペースとして設けられている。
また、多目的区画１８とリビング＆ダイニング１３との境界は、引き戸で間仕切られている。
第１階段１９は、建物１０の第２層としての２階部分に接続する階段であり、この第１階段１９の下方の空間は階段下収納庫１９１，１９２として利用できるようになっている。
【００２８】
本実施形態では、図１−３に示したように、遮断部材の支持構造１は、キッチンカウンターに適用される。ただし、遮断部材の支持構造１は、図１，１２，１３に示したように、キッチンカウンターだけでなく、廊下などにも適用される。
図１−３に示したように、遮断部材５の支持構造１は、キッチンユニット２と、構造壁３と、支持部材４と、遮断部材５と、接続部材としての収納部６と、固定板７と、を備えている。
このうち、少なくとも構造壁３と支持部材４とを支持体とし、これら構造壁３と支持部材４とに連なる壁などを含めて支持体としてもよい。
【００２９】
キッチンユニット２は、フライパンなどで加熱調理するためのバーナーを備える三口のコンロ２１と、まな板を載置して食材を切ったり食材を調味したりする調理作業場として利用可能な調理スペース２２と、食材を水洗いしたり食器や調理器具を洗浄したりするためのシンク２３と、を備えている。
また、キッチンユニット２は、矩形状に形成されており、短辺の一方が後述する建物躯体８に当接しており、建物躯体８から他方の短辺へと順にコンロ２１、調理スペース２２、シンク２３という並びに配置されている。
【００３０】
構造壁３は、腰壁３ａと袖壁３ｂとを備えており、これら腰壁３ａと袖壁３ｂとが鉛直方向に設けられる構造材と、水平方向に設けられる構造材とを備えている。
本実施形態の構造壁３に適用されるパネルは、木質パネルであり、縦框３１と横框３２とを矩形状に組み立てるとともに、この矩形枠の内部に補助棧材を縦横に組み付け、縦框３１と横框３２と補助棧材との両面もしくは片面に、面材３３を貼設したものである。この木質パネルにおいては、縦框３１が鉛直方向に設けられる構造材であり、横框３２が水平方向に設けられる構造材である。
なお、木質パネルでなく、鋼製やコンクリート製など他の材質を用いた構造壁でもよい。
【００３１】
構造壁３は、キッチンユニット２の一方の長辺に沿って延設され、建物躯体８からキッチンユニット２の他方の短辺まで延設されている。
また、この構造壁３は、コンロ２１に対応する箇所が天井まで立設されており、それ以外の箇所はキッチンユニット２の高さ寸法よりわずかに高くなっている。
キッチンユニット２を挟んで構造壁３と反対側には調理作業が行えるスペースが形成されており、このスペースおよびスペースへ移動する領域とを通路Ｃとしている。
【００３２】
図４−７に示したように、支持部材４は、キッチンユニット２の他方の短辺と、構造壁３の側端と、に当接する長尺の収容体であり、キッチンユニット２と構造壁３とに当接して固定される支持板４１と、この支持板４１と垂直に接続する背面板４２と、この背面板４２の先端に垂直に接続し、かつ支持板４１と対向する化粧板４３と、支持板４１と背面板４２と化粧板４３との上端面を接続する上面板４４と、を備えている。
【００３３】
化粧板４３は、底部に幅方向に沿って溝４３ａが形成されており、取り付けられる床材Ｆに設けられたＬ字金具４５に溝４３ａを上から嵌装して下部が固定され、上部側面には凸状の凸金具４３ｂが設けられており、上面板４４の側面に設けられた凹状の凹金具４４ａに凸金具４３ｂを側面から押し込み嵌装して上部が固定されている。
また、化粧板４３は、上部が固定された状態において、上面板４４との間に嵌合した金具４３ｂ，４４ａ分の隙間が形成されている。
このため、化粧板４３は、上部を引き込むことで凸金具４３ｂと凹金具４４ａとの嵌合状態を解除し、持ち上げてＬ字金具４５との嵌合状態を解除することで容易に支持部材４から離脱させることができるようになっている。
また、化粧板４３と上面板４４との間に隙間が形成されることから、化粧板４３を上面板４４から引き離す際、隙間に指等を差し入れて化粧板４３を引き込みやすいようになっている。
なお、上述した隙間は、後述する固定板７が上面板４４と隙間とを上方から当接して塞ぐため、意匠性が低下するおそれがない。
【００３４】
また、支持部材４は、支持板４１、背面板４２、化粧板４３および上面板４４が空間を形成しており、この空間の開口から遮断部材５が収容および引き出し可能となっている。
なお、上面板４４には、その下面に遮断部材５と係合する図示しない移動手段としてのレールが設けられている。
【００３５】
図４に示すように、遮断部材５は、支持部材４に収容および引き出し可能な部材であって、本体５１と、棚５２と、カバー５３と、移動手段としてのキャスター５４と、係合部５５と、ストッパー５６と、を備えている。
本体５１は、支持部材４の収容空間よりも僅かに小さい矩形状の枠体５１ａと、この枠体５１ａの一方の開口を閉塞する背板５１ｂとを備えている。
棚５２は、本体５１に水平に取り付けられ、枠体５１ａの空間にキッチン用品などを収納できるようにしている。
カバー５３は、支持部材４の開口側の枠体５１ａに取り付けられ、支持部材４の開口を形成する支持板４１、化粧板４３および上面板４４の端面の外縁、すなわち、支持部材４の断面外周と略同形状の板材である。カバー５３は、収容空間に枠体５１ａが収容された状態において、支持部材４の開口を閉塞するようになっている。
キャスター５４は、移動手段であって、枠体５１ａの下面に取り付けられ、床を滑走することで遮断部材５を支持部材４から引き出したり収容したりするようになっている。
係合部５５は、上面板４４に設けられたレールに係合する凸状の部材であり、レールに係合した状態で摺動することで遮断部材５を直線状にスライドさせられるようになっている。これと同時に前述したキャスター５４が床を滑走することで遮断部材５が滑らかにスライドして収容空間を引き出したり収容したりできるようになっている。
このため、遮断部材５は、通路Ｃ側へと引き出されて建物躯体８にカバー５３が当接することで、通路Ｃを塞ぐようになっている。
ストッパー５６は、上部の枠体５１ａの上面に設けられており、カバー５３が建物躯体８に当接する状態において、上面板４４の端面に当接するようになっている。
具体的には、ストッパー５６は、直方体状の部材であり、一端が軸支されて回動可能に枠体５１ａに設けられている。このため、遮断部材５を引き出してカバー５３が建物躯体８に当接する状態において、ストッパー５６を回動して立設させることで、遮断部材５を収納しようとする際にストッパー５６が上面板４４に係止され、遮断部材５が収納されないようにスライドが規制されている。
また、立設したストッパー５６が水平になるように回動させれば遮断部材５を支持部材４に収容できるようになっている。
【００３６】
ここで、図８に示したように、遮断部材５を対向する建物躯体８にカバー５３が当接するまで最大限に引き出した場合、本体５１のうち支持部材４の収容空間内にとどまる部分の長さ寸法（以下、重なり寸法という）が２５２ｍｍであり、遮断部材５の長さ寸法が１０７６ｍｍである。
すなわち、遮断部材５の長さ寸法の２３．４％が重なり寸法として支持部材４と重なっていることとなる。
この重なり寸法の割合は、２０％以上であることが望ましく、２５％程度であることがより望ましい。ただし、割合が大きくなると支持部材４および遮断部材５の長さ寸法が大きくなってしまうため、２０％から２５％程度の範囲内に設定することが最も好ましい。
【００３７】
図９−１１に示したように、収納部６は、接続部材であって、キッチンユニット２と構造壁３を挟んで反対側に設けられるキャビネットであり、その幅寸法はキッチンユニット２の長辺長さ寸法と略同じであり、高さ寸法は腰壁３ａの高さ寸法と略同じである。この収納部６は、側板６１と、背板６２と、接続板６３と、台輪６４と、２枚の引き戸６５と、を備えている。
側板６１は、支持板４１がキッチンユニット２および構造壁３に当接していない箇所に当接して固定されている。
背板６２は、側板６１と垂直に接続し、構造壁３の側面に当接して固定されている。具体的には、構造壁３側の平面（裏面）に３本の桟６２ａが水平方向に延設されており、これら桟６２ａが構造壁３の面材３３に当接され、表面から背板６２、桟６２ａおよび構造壁３をビスで固定することで背板６２と構造壁３とが一体的に固定されている。
接続板６３は、側板６１および背板６２の上端に接続する天板６３ａと、背板６２の側端に接続して側板６１に対向する側板６３ｂと、側板６１および背板６２の下端に接続する底板６３ｃと、を備えている。
台輪６４は、底板６３ｃの周縁部下面に設けられる枠状部材であり、こうすることで底板６３ｃの下に空間が形成されるようになっている。
引き戸６５は、収納部６の開口に設けられる引き戸である。
【００３８】
図２，３，１０，１１に示したように、固定板７は、構造壁３と、支持部材４と、収納部６と、の上に亘って設けられる板材である。具体的には、構造壁３の横框３２と、収納部６の天板６３ａと、支持部材４の支持板４１、背面板４２および化粧板４３の上端面と、に当接して載置されている。
固定板７は、構造壁３から固定板７に向かって斜めにビスが打たれることで、構造壁３および固定板７がビスにより一体的に固定されている。
この固定板７は、その上面が作業台として利用されることとなっており、キッチンユニット２に隣接配置されるキッチンカウンターとして活用される。
【００３９】
図２，９に示したように、建物躯体８は、建物の構造を支える骨組みのうちの壁であり、この壁に構造壁３が垂直に接続している。
【００４０】
次に、遮断部材５の支持構造１の施工方法について説明する。
まず、遮断部材５の支持構造１を設置する箇所に構造壁３を設け、構造壁３の以外の箇所に床材Ｆを施設する。
そして、次に収納部６を構造壁３に取り付け固定する。具体的には、台輪６４を構造壁３の近傍に載置し、この台輪６４の上に底板６３ｃを取り付ける。
さらに、側板６１と、背板６２と、天板６３ａと、側板６３ｂとを備える箱体が収納部６の両端に取り付けられる。具体的には、背板６２の裏面に設けられた桟６２ａを構造壁３の面材３３に当接して、背板６２の表面からビスを構造壁３まで打ち込んで背板６２と構造壁３とを一体的に固定する。
【００４１】
また、建物躯体８と、この建物躯体８に最も近い側板６３ｂとの間には隙間が生じるが、この隙間には緩衝材ｂを嵌装する。
そして、最後に箱体の内部に棚を取り付け、箱体の開口に２枚の引き戸６５を取り付けて収納部６を仕上げる。
【００４２】
次に、２枚の天板６３ａと、腰壁３ａと、後付けされる支持部材４の上面板４４および化粧板４３の上面とを覆うように固定板７が載置される。この固定板７は、天板６３ａの下面からビスを打ち込むことで天板６３ａと固定し、背板６２と反対側からビスを腰壁３ａと固定板７とに斜めに打ち込むことで腰壁３ａと固定する。
【００４３】
次に、構造壁３を挟んで収納部６と反対側にキッチンユニット２を構造壁３に当接して設置する。
その後、支持部材４の支持板４１を側板６１と、腰壁３ａの側端面と、キッチンユニット２の側面とに当接して、支持板４１側から側板６１および腰壁３ａの側端面に向かって水平にビスを複数箇所に打ち込むことで支持板４１を収納部６と構造壁３とに一体的に固定する。
【００４４】
そして、支持板４１に背面板４２と上面板４４とを取り付け、上面板４４の下面に設けられたレールに遮断部材５の係合部５５を係合させて遮断部材５を上面板４４にスライド可能に取り付ける。
さらに、化粧板４３を取り付ける。まず、化粧板４３が設置される箇所の床材ＦにＬ字金具４５を取り付け、このＬ字金具４５に化粧板４３の下部の溝４３ａを嵌装して下部を取り付ける。次いで、化粧板４３の上部に設けられた凸金具４３ｂを上面板４４の側面に設けられた凹金具４４ａに押し込んで嵌合して上部を取り付ける。
なお、化粧板４３を取り付ける前に係合部５５を上面板４４のレールに係合させて遮断部材５を取り付けるとしたが、化粧板４３を取り付けた後に遮断部材５を取り付けるとしてもよい。
【００４５】
遮断部材５の支持構造１の施工方法の最終工程として、シリコンシーリング材を用いて支持構造１の各所をシーリングする。
具体的には、固定板７と建物躯体８との隙間、固定板７と袖壁３ｂとの隙間、キッチンユニット２と建物躯体８、袖壁３ｂおよび固定板７との隙間などにシーリングを施す。
以上により、本実施形態に係る遮断部材５の支持構造１を施工する。この施工手順は、各構成を取り付け固定する際に用いるビスを打ち込みやすくするためにビス打設箇所に他の構成が干渉しないように考慮された手順となっている。
【００４６】
次に本実施形態に係る遮断部材５の支持構造１の力の伝達について説明する。
遮断部材５の支持構造１では、構造壁３に支持部材４が当接して固定されており、支持部材４に支持される遮断部材５に支持部材４の反対側から力が加わると、この力が支持部材４へと伝達され、次いで、構造壁３へと伝達されることとなる。
このような場合において、収納部６は、側板６１において支持部材４に当接しており、さらに、背板６２において構造壁３に当接しているため、支持部材４から力を伝達されるとともに構造壁３へと力を伝達するようになっている。
すなわち、力を支持部材４と構造壁３との接面だけでなく、支持部材４と収納部６との接面においても力を伝達できるようになっている。
このため、支持部材４と構造壁３との接面においてのみ力が伝達されるような場合に比べて伝達効率が高い。つまり、力の伝達が不十分（力を十分に構造壁３へと逃がせない）な場合に支持部材４と構造壁３との接面が破損するなどの問題を回避できるようになっている。
【００４７】
以上のように、本実施形態では、例えば、図２，３，５に示すように、鉛直方向において特定の高さを有し、かつ通路Ｃを塞ぐための遮断部材５が支持体３，４，６によって支持されてなる遮断部材５の支持構造１において、支持体３，４，６は、一方の側面に遮断部材５が設けられて、これを支持する支持部材４と、芯材として鉛直方向および水平方向に設けられる構造材３１，３２を有し、かつ支持部材４のうち一方の側面とは反対側の他方の側面に接続されるとともに支持部材４に対して交差する方向に延在する構造壁３と、支持部材４と構造壁３とに亘って設けられて、支持部材４と構造壁３とのそれぞれに固定される接続部材６と、を備えるので、遮断部材５が支持部材４の反対側から受けた力を支持部材４を介して構造壁３へ伝達することができる。
また、支持部材４と構造壁３とに亘って設けられて、支持部材４と構造壁３とのそれぞれに固定される接続部材６を備えるので、遮断部材５から支持部材４へ伝達される力を支持部材４と構造壁３との接面からだけでなく、接続部材６との接面からも力を伝達することができる。
また、構造壁３が芯材として鉛直方向および水平方向に設けられる構造材３１，３２を有しているので、構造強度を十分に確保することができ、伝達された力に対して十分な抗力を発揮することができる。
このため、例えば、支持部材４の長さ寸法が構造壁３との接面の長さ寸法よりも大きい場合でも、接続部材６から構造壁３へと力を伝達することができるので、支持部材４が遮断部材５を十分に支持することができる。
これにより、遮断部材５への力が支持部材４と接続部材６とを介して構造壁３へと伝達されるので、遮断部材５の支持構造１が高い構造強度を発揮することができる。
【００４８】
また、本実施形態では、例えば、図６に示すように、通路Ｃを塞いだ時の遮断部材５と支持部材４とが重なる長さ寸法が、遮断部材５の長さ寸法に対して所定の比率になっているので、遮断部材５に係るモーメントに対して支持部材４が支持できなくなるというおそれをなくすことができる。
また、この重なり寸法の割合は、２０％以上であることが望ましく、２５％以上であることがより望ましい。ただし、割合が大きくなると支持部材４および遮断部材５の長さ寸法が大きくなってしまうため、２０％から２５％程度の範囲内に設定することが最も好ましい。
本実施形態では、遮断部材５の２３．４％が支持部材４と重なり合っているので、最も好ましい状態で支持部材４が遮断部材５を支持することができる。
【００４９】
また、本実施形態では、例えば、図２，３，５に示すように、収納部６は、支持部材４に固定される側板６１と、構造壁３に固定される背板６２と、側板６１と背板６２とを接続する接続板６３と、を備えるので、遮断部材５が支持部材４の反対側から受けた力を支持部材４を介して構造壁３へ伝達することができる。
また、収納部６の側板６１と背板６２とがそれぞれ支持部材４と構造壁３とに固定されるので、遮断部材５から支持部材４へ伝達される力を支持部材４と構造壁３との接面からだけでなく、収納部６と構造壁３との接面からも力を伝達することができる。
また、構造壁３が縦框３１と横框３２とを備えているので、構造強度を十分に確保することができ、伝達された力に対して十分な抗力を発揮することができる。
このため、例えば、支持部材４の長さ寸法が構造壁３との接面の長さ寸法よりも大きい場合でも、収納部６の側板６１から背板６２へ、背板６２から構造壁３へと伝達することができるので、支持部材４が遮断部材５を十分に支持することができる。
これにより、遮断部材５への力が支持部材４と収納部６とを介して構造壁３へと伝達されるので、遮断部材５の支持構造１が高い構造強度を発揮することができる。
【００５０】
また、本実施形態では、支持部材４、構造壁３および接続板６３の上部を覆い、互いを連結固定する固定板７が設けられるので、この固定板７を作業台として利用することができる。つまり、固定板７は、キッチンユニット２に隣接配置されるキッチンカウンターとして活用される。
このため、支持部材４や構造壁３が設けられる空間を作業空間として有効に空間を利用することができる。
【００５１】
また、本実施形態では、支持部材４が、構造壁３と接続する支持板４１と、支持板４１に接続する背面板４２と、支持板４１と背面板４２とに接続して遮断部材５を収容可能な空間を形成する化粧板４３と、を備えているので、例えば、遮断部材５の支持構造１をメンテナンスするような場合、遮断部材５を収容する化粧板４３を取り外すだけで、容易に遮断部材５および支持部材４の交換や補修を行うことができる。
また、化粧板４３を外して収容可能な空間を清掃することも容易に行うことができる。
【００５２】
また、本実施形態では、上面板４４の下面にレールを設け、本体５１の上面にレールと係合する係合部５５を設けたので、これらを係合させて、摺動するだけで遮断部材５を容易に直線状にスライドさせることができる。
さらに、本体５１の下面にキャスター５４を設けているので、床においてキャスター５４を滑走させることができるので、より一層容易に遮断部材５を直線状にスライドさせることができる。
このため、遮断部材５により通路Ｃを遮断もしくは開放する作業を容易に行うことができる。
【００５３】
また、本実施形態では、カバー５３が支持部材４の開口側の枠体５１ａに取り付けられ、支持部材４の開口を形成する支持板４１、化粧板４３および上面板４４の端面の外縁、すなわち、支持部材４の断面外周と略同形状の板材であるものとした。
こうすることで、カバー５３は、収容空間に枠体５１ａが収容された状態において、支持部材４の開口を閉塞し、かつ、カバー５３の外周面が支持部材４の外周面と面一にすることができる。
このため、収容空間に枠体５１ａが収容された状態において、支持部材４とカバー５３とを連続した一体物にすることができ、外観の意匠性を良好なものとすることができる。
【００５４】
また、本実施形態では、化粧板４３は、下部の溝４３ａがＬ字金具４５に嵌装され、上部の凸金具４３ｂが上面板４４の側面に設けられた凹金具４４ａに押し込まれて嵌装されるものとした。
こうすることで、溝４３ａをＬ字金具４５に嵌装し、凸金具４３ｂを凹金具４４ａに嵌合させるだけで容易に化粧板４３を取り付けることができる。
また、上部を引き込み凸金具４３ｂと凹金具４４ａとの嵌合状態を解除し、持ち上げて溝４３ａとＬ字金具４５との嵌合を解除することで容易に支持部材４から離脱させることができる。
【００５５】
また、本実施形態では、化粧板４３は、上部が固定された状態において、上面板４４との間に嵌合した金具分の隙間が形成されているものとした。
こうすることで、化粧板４３を上面板４４から引き離す際、隙間に指等を差し入れて化粧板４３を引き込みやすいため、容易に上面板４４との嵌合状態を解除することができる。
【００５６】
また、本実施形態では、ストッパー５６の一端が軸支されて回動可能に枠体５１ａに設けられているものとした。
こうすることで、遮断部材５を引き出してカバー５３が建物躯体８に当接する状態において、ストッパー５６を回動して立設させることで、遮断部材５を収納しようとする際にストッパー５６を上面板４４に係止させることができる。
このため、遮断部材５が収納されないようにスライドを規制することができる。
また、立設したストッパー５６が水平になるように回動させれば、遮断部材５を支持部材４に容易に収容することができる。
【００５７】
また、本実施形態では、遮断部材５の支持構造１の施工手順が、構造壁３、収納部６、固定板７、キッチンユニット２、支持部材４および遮断部材５の順に施工されるものとした。
こうすることで、各構成を取り付け固定する際にビス打設箇所に他の構成が干渉せず、ビスを打ち込みやすくすることができる。
【００５８】
以上、本発明を本実施形態に基づいて具体的に説明してきたが、本発明は上記実施形態に限定されるものではなく、その要旨を逸脱しない範囲で変更可能である。
本実施形態では、支持板４１が床まで当接して設けられるとしたが、これに限らない。例えば、台輪６４が設けられるため、側板６１は床まで設けられておらず、実質的には支持板４１から側板６１への伝達面は台輪６４より上方になるので、支持板４１も台輪６４の高さ寸法に合わせて床から浮かせて設けることとしてもよい。
【００５９】
また、本実施形態では、遮断部材５が支持部材４に引き出し可能に収容されるとしたが、これに限らない。例えば、支持部材４を支持板４１のみとして、この支持板４１に遮断部材５を取り付けるものとしてもよい。
もしくは、支持部材４と遮断部材５とを一体的な構成としてもよい。具体的には、支持部材４および遮断部材５の平面を合わせて並べ、建物躯体８側のそれぞれの端部をヒンジで連結する構成でもよい。
この場合、ヒンジを介して遮断部材５を１８０°回動させて建物躯体８に遮断部材５の端部を当接させることとなる。
【００６０】
また、本実施形態では、遮断部材５が支持部材４に収容されるものとしたが、これに限らず、例えば、通路Ｃを遮断する場合にのみ遮断部材５を別なる場所から運び込み、支持部材４に取り付ける構成としてもよい。この構成であれば、通路Ｃを遮断せず開放する場合は、遮断部材５を別なる場所、例えば、収納庫や倉庫などに格納することができるので、支持構造１をコンパクトにすることができる。
【００６１】
また、本実施形態では、遮断部材５は床面に当接するものとしたが、これに限らず、遮断部材５を床材Ｆから浮かせて支持部材４に取り付ける構成としてもよい。
例えば、遮断部材５の係合部５５を支持部材４の上面板４４のレールに懸架させて遮断部材５を床材Ｆから浮かせる構成でもよい。または、支持部材４に上面板４４に対向した下面板を設けて、この下面板の上面にレールを設けて上下両側から遮断部材５を係合する構成などでもよい。
【００６２】
また、本実施形態では、構造壁３が支持部材４の中央に当接するものとした（支持部材４と構造壁３とが略Ｔ字状）。
また、この場合、入隅部に収納部６を配置することとなるが、キッチンユニット２を接続部材として用いてもよい。
【００６３】
また、本実施形態では、接続部材として収納部６を用いたが、これに限らず、例えば、Ｌ字型金具を用いてもよい。
この場合、Ｌ字型金具の２平面のうち一面を支持板４１に当接して固定し、他面を構造壁３の鉛直面に当接して固定することとなる。
さらに、Ｌ字型金具ではなく、直角三角形状の金具を用いてもよい。この場合は、斜辺以外の２平面をそれぞれ支持板４１および構造壁３に当接して固定することとなる。
また、上述したように接続部としてキッチンユニット２を採用してもよい。
【００６４】
また、本実施形態では、移動手段としてキャスター５４と図示しないレールとを用いたが、これに限らず、例えば、レールのみでもよく、キャスターのみでもよい。
また、本実施形態では、レールについては、上面板４４に設けるとしたが、これに限らず、例えば、支持板４１の平面に設けて遮断部材を側方のレールで移動させる構成としてもよく、上面板４４に対応する床材Ｆにもレールを設けて遮断部材５を上下のレールで移動させる構成としてもよい。
【００６５】
また、本実施形態では、収納部６が最上部に側板６１と背板６２とに接続する天板６３ａを設けるとしたが、これに限らない。例えば、図１３に示すように、天板６３ａを設けずに側板６１および背板６２の上面に直接固定板７を固定する構成としてもよい。
こうすることで、収納部６の構成が簡易なものとなり、本発明の実施を容易なものとすることができる。
【００６６】
また、本実施形態では、遮断部材５を通路Ｃ側へ引き出して建物躯体８の平面に当接させるとしたが、これに限らず、例えば、カバー５３に嵌合する凹状の溝を有する受部を設けてカバー５３と嵌合させて通路Ｃを塞ぐようにしてもよい。
こうすることで、遮断部材５は、通路Ｃを塞いだ状態において、支持部材４だけでなく受部にも支持されることとなり、力を受けた際の構造強度を高めることができる。
【００６７】
また、本実施形態では、遮断部材の支持構造１として、キッチンカウンターに適用したが、これに限らず、例えば、階段付近の壁に適用してもよく、廊下の角に適用してもよい。
【００６８】
また、本実施形態では、キッチンカウンターとしてすべての構成を新設することとしたが、これに限らない。例えば、既設のキッチンユニット２や構造壁３に支持部材４、遮断部材５および収納部６などを後付けすることとしてもよい。
このため、既設建物のキッチンや階段や廊下の隅などに本発明の構成を適用することができる。
【符号の説明】
【００６９】
１     支持構造
２     キッチンユニット
３     構造壁（支持体）
３ａ   腰壁
３ｂ   袖壁
４     支持部材（支持体）
５     遮断部材
６     収納部（接続部材）
７     固定板
８     建物躯体
９     支持構造
１０   建物
１１   玄関
１２   ホール
１３   ダイニング
１４   キッチン
１５   風呂
１６   洗面所
１７   トイレ
１８   多目的区画
１９   階段
２１   コンロ
２２   調理スペース
２３   シンク
３１   縦框（構造材）
３２   横框（構造材）
３３   面材
４１   支持板
４２   背面板
４３   化粧板
４３ａ 溝
４３ｂ 凸金具
４４   上面板
４４ａ 凹金具
４５   字金具
５１   本体
５１ａ 枠体
５１ｂ 背板
５２   棚
５３   カバー
５４   移動手段
５４   キャスター（移動手段）
５５   係合部
５６   ストッパー
６１   側板
６２   背板
６２ａ 桟
６３   接続板
６３ａ 天板
６３ｂ 側板
６３ｃ 底板
６４   台輪
６５   戸
１１１ 玄関扉
１１２ シューズクローゼット
１２１ 窓
１２２ 明り窓
１３１ 掃出引違窓
１３２ 突出部
１３３ 設置台
１３４ 収納家具
１４１ キッチンカウンター
１４３ 勝手口
１４５ 冷蔵庫置場
１４６ カップボード
１５１ 浴槽
１５２ 換気窓
１６１ 洗面台
１６２ 収納庫
１６３ 洗濯機置場
１９１ 階段下収納庫
１９２ 階段下収納庫
Ａ     アプローチ
ｂ     緩衝材
Ｃ     通路
Ｆ     床材
Ｗ１   第１壁
Ｗ２   第２壁
Ｗ３   第３壁
【図１】
0006682132.tif 000002
【図２】
0006682132.tif 000003
【図３】
0006682132.tif 000004
【図４】
0006682132.tif 000005
【図５】
0006682132.tif 000006
【図６】
0006682132.tif 000007
【図７】
0006682132.tif 000008
【図８】
0006682132.tif 000009
【図９】
0006682132.tif 000010
【図１０】
0006682132.tif 000011
【図１１】
0006682132.tif 000012
【図１２】
0006682132.tif 000013
【図１３】
0006682132.tif 000014